【手続補正書】
【提出日】平成23年12月22日(2011.12.22)
【手続補正１】
【補正対象書類名】特許請求の範囲
【補正対象項目名】全文
【補正方法】変更
【補正の内容】
【特許請求の範囲】
【請求項１】
ウェブベースのライナーレスラベルのリールを支持するための手段と、
先頭ライナーレスラベルが前記ウェブから分離される分離ステーションまで第１搬送方向に前記ウェブの一部として前記ライナーレスラベルを搬送する第１搬送手段と、
ラベル貼り付けステーションまで前記第１搬送方向に対して直角な第２搬送方向に前記分離されたライナーレスラベルを搬送する第２搬送手段と、を備え、
ウェブベースのライナーレスラベルのリールを備え、各ライナーレスラベルは第１面に提供された接着手段及び第２面に提供された剥離手段を備え、かつ、前記接着手段は、ライナーレスラベルがロール内に配置されるときに前記剥離手段と協調するために配置されていることを特徴とするライナーレスラベル貼り付け装置。
【請求項２】
前記接着手段が、接着手段の裏張りストリップを一つ以上備える請求項１に記載のライナーレスラベル貼り付け装置。
【請求項３】
前記剥離手段が、剥離剤の裏張りストリップを一つ以上備える請求項１又は２に記載のライナーレスラベル貼り付け装置。
【請求項４】
接着手段の前記裏張りストリップ及び剥離剤の前記裏張りストリップは前記ラベルの大きい方の寸法に対して垂直に伸びている、請求項２に従属する場合における請求項３に記載のライナーレスラベル貼り付け装置。
【請求項５】
前記剥離手段は透明であり、視覚情報の上に印刷されており、かつ、その情報の何れをも曖昧にするものではない請求項１乃至４の何れか１項に記載のライナーレスラベル貼り付け装置。
【請求項６】
前記ラベルが前記第２搬送方向に移動する間に、当該ラベルを保持するためにライナーレスラベルの接着剤が軽く係止されることのできるベルトを前記第２搬送手段が含む請求項１乃至５の何れか１項に記載のライナーレスラベル貼り付け装置。
【請求項７】
ウェブベースのラベルの前記リールが、連続ウェブの形の糊付きライナーレスラベルのロールを備え、
各ライナーレスラベルは、大きな及び小さな寸法を有し、
前記ライナーレスラベルの前記大きな寸法は前記ロールの幅を横断して延びている請求項１乃至６の何れか１に記載のライナーレスラベル貼り付け装置。
【請求項８】
前記ライナーレスラベルは、前記ウェブが前記ロールから引き出される際に、各ライナーレスラベルの幅の広い端が先頭になる長方形である請求項７に記載のライナーレスラベル貼り付け装置。
【請求項９】
前記ライナーレスラベルは、先ず、前記ライナーレスラベルの前記大きな寸法が先頭になって（かつ、前記小さな寸法が搬送方向に延びて）供給されかつ搬送される請求項７又は８に記載のライナーレスラベル貼り付け装置。
【請求項１０】
前記ライナーレスラベルは、前記ライナーレスラベルの前記小さな寸法が先頭になって（かつ、前記大きな寸法が搬送及び／又は貼り付け方向に延びて）搬送され及び／又は品物に貼り付けられる請求項７乃至９の何れか１項に記載のライナーレスラベル貼り付け装置。
【請求項１１】
前記装置が、前記ウェブから先頭ライナーレスラベルを分離するためのブレード形状の分離手段を備える請求項１乃至１０の何れか１項に記載のライナーレスラベル貼り付け装置。
【請求項１２】
ウェブベースのライナーレスラベルのリールを支持する工程と、
分離ステーションまで第１搬送手段により第１搬送方向にライナーレスラベルの前記ウェブを搬送する工程と、
前記ウェブから先頭ライナーレスラベルを分離する工程と、
ラベル貼り付けステーションまで第２搬送方向に第２搬送手段により前記分離されたライナーレスラベルを搬送する工程と、を備え、
前記第２搬送方向は前記第１搬送方向に対して直角であり、
第１面上の接着手段及び第２面に提供された剥離手段を伴う各ライナーレスラベルの提供を含む方法、及び、ライナーレスラベルがロール内に配置されるときに前記接着手段を前記剥離手段と協調させることを備える方法により特徴付けられる品物へのライナーレスラベル貼り付け方法。
【請求項１３】
前記第２搬送手段に前記ライナーレスラベルを接着する工程を含む請求項１２に記載の品物へのライナーレスラベル貼り付け方法。
【請求項１４】
前記方法は、前記ライナーレスラベルの大きな寸法が先頭になって（かつ、小さな寸法が搬送方向に延びて）前記第１搬送方向に前記ライナーレスラベルを供給しかつ搬送する工程を含む請求項１２又は１３に記載の品物へのライナーレスラベル貼り付け方法。
【請求項１５】
前記ライナーレスラベルの前記小さな寸法が先頭になって（かつ、大きな寸法が搬送及び／又は貼り付け方向に延びて）前記ライナーレスラベルを品物に搬送し及び／又は貼り付ける工程を含む請求項１２乃至１４の何れか１項記載の品物へのライナーレスラベル貼り付け方法。
【手続補正２】
【補正対象書類名】明細書
【補正対象項目名】０００７
【補正方法】変更
【補正の内容】
【０００７】
本発明の第１の態様によれば、ライナーレスラベルを貼り付けるための装置が提供され、その装置は、ウェブベースのライナーレスラベルのリールを支持するための手段と、先頭ライナーレスラベルが前記ウェブから分離される分離ステーションまで第１搬送方向に前記ウェブの一部として前記ライナーレスラベルを搬送する第１搬送手段と、ラベル貼り付けステーションまで前記第１搬送方向に対して直角な第２搬送方向に前記分離されたライナーレスラベルを搬送する第２搬送手段と、を備え、ウェブベースのライナーレスラベルのリールを備え、各ライナーレスラベルは第１面に提供された接着手段及び第２面に提供された剥離手段を備え、かつ、前記接着手段は、ライナーレスラベルがロール内に配置されるときに前記剥離手段と協調するために配置されている。
好ましくは、前記接着手段が、接着手段の裏張りストリップを一つ以上備える。
好ましくは、前記剥離手段が、剥離剤の裏張りストリップを一つ以上備える。
好ましくは、接着手段の前記裏張りストリップ及び剥離剤の前記裏張りストリップは前記ラベルの大きい方の寸法に対して垂直に伸びている。
好ましくは、前記剥離手段は透明であり、視覚情報の上に印刷されており、かつ、その情報の何れをも曖昧にするものではない。
【手続補正３】
【補正対象書類名】明細書
【補正対象項目名】０００８
【補正方法】変更
【補正の内容】
【０００８】
前記第２搬送手段は、好ましくは、ラベルが前記第２搬送方向に移動する間に前記ライナーレスラベルを保持するために当該ライナーレスラベルの接着剤が軽く留め置かれることのできるベルトを含む。
【手続補正４】
【補正対象書類名】明細書
【補正対象項目名】０００９
【補正方法】変更
【補正の内容】
【０００９】
前記ウェブベースのライナーレスラベルのリールは、好ましくは、連続ウェブの形をとる糊付きライナーレスラベルのロールを備え、各ライナーレスラベルは大きな寸法と小さな寸法を有し、かつ、前記ライナーレスラベルの前記大きな寸法はロールの幅に沿って伸びる。
【手続補正５】
【補正対象書類名】明細書
【補正対象項目名】００１０
【補正方法】変更
【補正の内容】
【００１０】
前記ライナーレスラベルは、ロールから前記ウェブが引き離される際に各ライナーレスラベルの先頭が幅の広い端部となる長方形であることができる。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
前記ライナーレスラベルは、好ましくはその上に印刷情報を含む。前記情報は、好ましくは、長方形のラベルを横断して方向付けられるように配置され、（小さな寸法を有する）第１横サイドから（小さな寸法を有する）第２横サイドに向かって伸びてもよい。
【手続補正８】
【補正対象書類名】明細書
【補正対象項目名】００１３
【補正方法】変更
【補正の内容】
【００１３】
前記ライナーレスラベルは、好ましくは、最初に、ライナーレスラベル先頭の大きな寸法で（小さな寸法が搬送方向に延びる状態で）供給されかつ搬送される。そのライナーレスラベルは、好ましくは、ライナーレスラベル先頭の小さな寸法で（大きな寸法が搬送及び／又は貼り付けの方向に延びる状態で）品物に配送され及び／又は貼り付けられる。
【手続補正９】
【補正対象書類名】明細書
【補正対象項目名】００１４
【補正方法】変更
【補正の内容】
【００１４】
前記ライナーレスラベルは、前方端部、後方端部、及び２つの側方端部（横端部）を有していてもよい。前方及び後方の端部は、好ましくは側方端部より長さが大きい。前方及び後方の端部は、好ましくは前記ライナーレスラベルのロールを横断して伸びる。前方及び後方の端部は、好ましくはライナーレスラベルのウェブを横断して伸びる。側方端部は、好ましくはライナーレスラベルのロールの側方に沿って位置する。側方端部は、好ましくはライナーレスラベルのウェブの側方に沿って位置する。
【手続補正１０】
【補正対象書類名】明細書
【補正対象項目名】００１５
【補正方法】変更
【補正の内容】
【００１５】
ライナーレスラベルのロール及び／又はライナーレスラベルのウェブは、好ましくは一つのラベルの幅である。
【手続補正１１】
【補正対象書類名】明細書
【補正対象項目名】００１６
【補正方法】変更
【補正の内容】
【００１６】
前記装置は、ウェブから先頭ライナーレスラベルを分離するためにブレード形状の分離手段を備えることができる。前記分離手段は、前記第１搬送手段に沿って配置されることができる。
【手続補正１２】
【補正対象書類名】明細書
【補正対象項目名】００１７
【補正方法】変更
【補正の内容】
【００１７】
前記剥離剤はシリコン剥離剤を備えることができる。
【手続補正１３】
【補正対象書類名】明細書
【補正対象項目名】００１８
【補正方法】変更
【補正の内容】
【００１８】
本発明の第２の態様によれば、ウェブベースのライナーレスラベルのリールを支持し、分離ステーションまで第１搬送手段によって第１方向に前記ライナーレスラベルのウェブを搬送し、前記ウェブから先頭ライナーレスラベルを分離し、ラベル貼り付けステーションまで第２搬送方向に第２搬送手段によって分離された前記ライナーレスラベルを搬送する工程を備え、前記第２搬送方向は前記第１搬送方向に対して直下であり、第１面上の接着手段及び第２面に提供された剥離手段を伴う各ライナーレスラベルの提供を含む方法、及び、ライナーレスラベルがロール内に配置されるときに前記接着手段を前記剥離手段と協調させることを備える方法により特徴付けられる、製品にライナーレスラベルを貼り付ける方法が提供される。
【手続補正１４】
【補正対象書類名】明細書
【補正対象項目名】００１９
【補正方法】変更
【補正の内容】
【００１９】
前記方法は、好ましくは、前記第２搬送手段に対してライナーレスラベルを貼り付ける工程を含むことができる。前記方法は、前記ライナーレスラベル上に配置された接着剤により前記ライナーレスラベルを貼り付ける工程を含むことができる。
【手続補正１５】
【補正対象書類名】明細書
【補正対象項目名】００２０
【補正方法】変更
【補正の内容】
【００２０】
ウェブベースのライナーレスラベルのリールは、好ましくは、連続ウェブの形の糊付きライナーレスラベルのロールを備え、各ライナーレスラベルは大きな寸法と小さな寸法を有し、かつ、前記ライナーレスラベルの前記大きな寸法はロールの幅に沿って伸びる。
【手続補正１６】
【補正対象書類名】明細書
【補正対象項目名】００２１
【補正方法】変更
【補正の内容】
【００２１】
ライナーレスラベルは、ロールから前記ウェブが引き離される際に各ライナーレスラベルの先頭が幅の広い端部となる長方形であることができる。
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】変更
【補正の内容】
【００２３】
前記方法は、好ましくは、ライナーレスラベル先頭の大きな寸法で（小さな寸法が搬送方向に延びる状態で）第１方向に、前記ライナーレスラベルを供給し、かつ前記ラベルを搬送する工程を含む。前記方法は、好ましくは、ライナーレスラベル先頭の小さな寸法で（大きな寸法が搬送及び／又は貼り付けの方向に延びる状態で）ライナーレスラベルを品物に配送し及び／又は貼り付ける工程を含む。
【手続補正１９】
【補正対象書類名】明細書
【補正対象項目名】００２４
【補正方法】変更
【補正の内容】
【００２４】
本発明の第３の態様によれば、連続ウェブの形の糊付きライナーレスラベルのロールであって、各ライナーレスラベルが大きな寸法と小さな寸法を有し、かつ、ライナーレスラベルの大きな寸法が前記ロールの幅に渡って伸びるものが提供される。
【手続補正２０】
【補正対象書類名】明細書
【補正対象項目名】００２５
【補正方法】変更
【補正の内容】
【００２５】
ライナーレスラベルは、前記ロールから前記ウェブが引き離される際に各ライナーレスラベルの先頭が幅の広い端部となる長方形であることができる。
【手続補正２１】
【補正対象書類名】明細書
【補正対象項目名】００２６
【補正方法】削除
【補正の内容】
【手続補正２２】
【補正対象書類名】明細書
【補正対象項目名】００３１
【補正方法】変更
【補正の内容】
【００３１】
ウェブ１０が単層の連続ウェブであり、かつ、ウェブの残部から先頭ラベルを分離するために裁断機等を用いてそのウェブが細長く切断され得ることは、ライナーレスラベルの特徴である。